(57)【要約】【課題】少ない緊張材の本数で、複数の方向にプレストレスを導入して全体を容易に補強することが可能なプレストレスト構造物を提供する。【解決手段】コンクリートによって成形される床版部１と、その床版部１に沿って配設させるＰＣ鋼材２とを有するＰＣ床版１０である。  そして、ＰＣ鋼材２は、床版部１の対向する短辺端部１ａ，１ａにそれぞれ定着されて定着部３，３間にプレストレスが導入されるとともに、その定着部間にはＰＣ鋼材２の向きを変える複数の転向部２１，・・・が形成されている。【選択図】図１
2007211496.tif 000002
【特許請求の範囲】
【請求項１】
セメント系混合材料によって成形される本体部と、その本体部に沿って配設させる緊張材とを有するプレストレスト構造物であって、
前記緊張材は前記本体部の対向する端部にそれぞれ定着されて定着部間にプレストレスが導入されるとともに、その定着部間には前記緊張材の向きを変える複数の転向部が形成されていることを特徴とするプレストレスト構造物。
【請求項２】
前記緊張材は２本を一対にして配設され、対となる緊張材は前記定着部を設けた対向する端部間方向に略直交する方向で対向する位置にそれぞれ転向部が形成されるとともに、平面視が前記転向部間で交差していることを特徴とする請求項１に記載のプレストレスト構造物。
【請求項３】
前記本体部には、略平行する複数の梁部とその梁部に略直交して梁部間を連結させる連結部とが形成され、前記転向部は前記梁部と前記連結部との交差部又はその交差部に近接する連結部に形成されることを特徴とする請求項１又は２に記載のプレストレスト構造物。
【請求項４】
前記転向部は、前記交差部に近接する連結部に穿孔された孔に形成されることを特徴とする請求項３に記載のプレストレスト構造物。
【請求項５】
前記転向部は、前記本体部の表面に固定された前記緊張材を挿通させる孔を備えた転向治具によって形成されることを特徴とする請求項１又は２に記載のプレストレスト構造物。
【発明の詳細な説明】
【技術分野】
【０００１】
本発明は、橋梁や人工地盤や桟橋等に架け渡される床版、建築物の床面を形成する床版、又はトラスなどの骨組み構造体などとして使用されるプレストレスト構造物に関するものである。
【背景技術】
【０００２】
従来、橋脚間に架け渡される床版のように橋軸方向となる一方向にだけＰＣ鋼材を挿通させ、プレストレス（以下、緊張力という場合もある。）を導入する一方向スラブが知られている（特許文献１など参照）。
【０００３】
他方、特許文献２には、主方向にプレテンション方式でプレストレスを導入し、その主方向に直交する副方向にポストテンション方式でプレストレスを導入することで２方向の補強をおこなったＰＣ合成床版が開示されている。
【０００４】
また、矩形板状のコンクリート壁の隅角部を補強するために、円弧状にＰＣ鋼材を挿通させてプレストレスを導入する方法が特許文献３に開示されている。
【特許文献１】特開昭５９−４９９１２号公報
【特許文献２】特開平８−１２８０１６号公報
【特許文献３】特公平３−６４６６９号公報
【発明の開示】
【発明が解決しようとする課題】
【０００５】
しかしながら、特許文献２に開示されたＰＣ合成床版は、２方向に多くの緊張材を配置することになるため、ＰＣ合成床版の端部に緊張材の２倍の数の定着部又は端部処理部が発生することになり、その設置及び処理に手間がかかる。
【０００６】
また、特許文献３に開示された補強方法では、コンクリート構造物を部分的補強することしかできない。
【０００７】
さらに、コンクリート構造物の耐震強度などを上げる目的でおこなう構築後の補強や、経時劣化によって強度が低下した既設コンクリート構造物の補強を容易におこなえる方法が求められている。
【０００８】
そこで、本発明は、少ない緊張材の本数で、複数の方向にプレストレスを導入して全体を容易に補強することが可能なプレストレスト構造物を提供することを目的としている。
【課題を解決するための手段】
【０００９】
前記目的を達成するために、本発明は、セメント系混合材料によって成形される本体部と、その本体部に沿って配設させる緊張材とを有するプレストレスト構造物であって、前記緊張材は前記本体部の対向する端部にそれぞれ定着されて定着部間にプレストレスが導入されるとともに、その定着部間には前記緊張材の向きを変える複数の転向部が形成されているプレストレスト構造物であることを特徴とする。
【００１０】
ここで、前記緊張材は２本を一対にして配設され、対となる緊張材は前記定着部を設けた対向する端部間方向に略直交する方向で対向する位置に転向部が形成されるとともに、平面視が前記転向部間で交差しているように構成することができる。
【００１１】
また、前記本体部には、略平行する複数の梁部とその梁部に略直交して梁部間を連結させる連結部とが形成され、前記転向部は前記梁部と前記連結部との交差部又はその交差部に近接する連結部に形成されるように構成することもできる。
【００１２】
さらに、前記転向部は、前記交差部に近接する連結部に穿孔された孔に形成することもできる。
【００１３】
また、前記転向部は、前記本体部の表面に固定された前記緊張材を挿通させる孔を備えた転向治具によって形成されるものであってもよい。
【発明の効果】
【００１４】
このように構成された本発明は、コンクリート等のセメント系混合材料によって成形された本体部に、複数の転向部が形成された緊張材が配設されている。
【００１５】
そして、緊張材を緊張して本体部の端部に定着させると、定着部を設けた端部間方向のプレストレスと転向部において方向が変えられたプレストレスの分力とによって、本体部の内部に複数の方向の圧縮力が作用することになる。
【００１６】
このため、少ない緊張材の本数で、複数の方向にプレストレスを導入して本体部全体を補強することができる。
【００１７】
また、緊張材を使用する本数が少なければ緊張作業や定着部の処理作業を低減できるので、施工性が向上する。
【００１８】
さらに、定着部を設けた端部間方向と略直交する方向の端部には定着部を設ける必要がないので、その端部側に定着部を設置するスペースがない場合でも複数の方向にプレストレスを導入して本体部を補強することができる。
【００１９】
そして、プレストレスを複数の方向に導入することで、部材断面を削減して軽量化することが可能になる。
【００２０】
また、２本を一対にした緊張材を転向部が対向し、かつ転向部間で交差するように配置することで、対向する転向部の間に介在される本体部に効果的にプレストレスを導入することができる。
【００２１】
さらに、本体部が梁部とその間を連結させる連結部とから形成される骨組み構造体を有している場合にも、梁部と連結部との交差部付近に転向部を形成することで、連結部の軸方向にプレストレスを導入して補強することができる。
【００２２】
また、この連結部に穿孔した孔に転向部を形成する構造であれば、既設の本体部を後から取り付けた緊張材によって容易に補強することができる。
【００２３】
さらに、本体部の表面に転向治具を固定して緊張材を挿通させる構造であれば、既設の床版などに後から複数方向のプレストレスを容易に導入することができる。
【００２４】
このため、セメント系混合材料によって成形された構造物の耐震強度などを上げたり、経時劣化によって強度が低下した構造物を補強したりすることが容易におこなえる。
【発明を実施するための最良の形態】
【００２５】
以下、本発明の最良の実施の形態について図面を参照して説明する。
【００２６】
図１は、橋梁や人工地盤や桟橋等に架け渡されたり、建築物の床面を形成させたりするプレストレスト構造物としてのＰＣ床版１０の平面図を示したものである。
【００２７】
このＰＣ床版１０は、平面視矩形の本体部としての床版部１と、その床版部１の内部に挿通させる緊張材としてのＰＣ鋼材２とから主に構成される。
【００２８】
この床版部１は、普通コンクリート、高強度コンクリート、繊維補強コンクリート、超高強度鋼繊維補強セメント系混合材料などのセメント系混合材料によって板状に成形される部材であって、短辺側の短辺端部１ａ，１ａと長辺側の長辺端部１ｂ，１ｂがそれぞれ対向する端部として形成されている。
【００２９】
また、ＰＣ鋼材２は床版部１の内部に配設されることになるが、ＰＣ鋼材２の周面が本体部１のコンクリートと付着しないようにアンボンド処理されている。
【００３０】
すなわち、ＰＣ鋼材２の周囲は、シース管やグリスによって被覆されており、本体部１を成形するための型枠の内部にアンボンド処理されたＰＣ鋼材２を配設してコンクリートを打設しても、本体部１とＰＣ鋼材２が一体化することがなく、コンクリート硬化後にＰＣ鋼材２を緊張することによって床版部１にプレストレスを導入することができる（ポストテンション方式）。
【００３１】
このＰＣ鋼材２には、ＰＣ鋼線、ＰＣ鋼より線などが使用できる。また、緊張材として、ＰＣ鋼材２の代わりにカーボン繊維緊張材、ガラス繊維緊張材、アラミド繊維緊張材等の可撓性の緊張材を使用することができる。
【００３２】
さらに、このＰＣ鋼材２は２本を一対に配設され、対になるＰＣ鋼材２Ａ，２Ａ（又は２Ｂ，２Ｂ）は、対向する短辺端部１ａ，１ａにそれぞれ設けられた定着部３，３間に平面視略波型となるように配設されている。
【００３３】
すなわち、一対のＰＣ鋼材２Ａ，２Ａ（又は２Ｂ，２Ｂ）は、図１に示すように短辺端部１ａの長辺端部１ｂ，１ｂに近い位置から長辺端部１ｂ，１ｂに略平行にそれぞれ延設され、転向部２１，２１で床版部１の内側に向きが変えられる。
【００３４】
この転向部２１，２１は、短辺端部１ａ，１ａ間方向（図１では床版部１の長手方向であって以下この方向を主方向という。）と略直交する方向（以下、副方向という。）で対向する位置に形成され、一対のＰＣ鋼材２Ａ，２Ａはこの転向部２１，２１から互いに近づく方向に傾斜配置される。
【００３５】
そして、平面視で一対のＰＣ鋼材２Ａ，２Ａが交差した後は、次の転向部２１，２１に向けて互いに離れる方向で傾斜配置される。
【００３６】
このように一対のＰＣ鋼材２Ａ，２Ａは、短辺端部１ａ，１ａにそれぞれ設けられた定着部３，３間に形成された複数の転向部２１，・・・によって繰り返し向きが変えられる。
【００３７】
すなわち、ＰＣ鋼材２Ａ，２Ａは、山折と谷折が同じ角度（内角）で繰り返されるとともに、対になるＰＣ鋼材２Ａ，２Ａが主方向に延伸される床版部１の中心線に対して線対称になるように配設される。
【００３８】
また、このように配設された一対のＰＣ鋼材２Ａ，２Ａは、副方向の転向部２１，２１間で最も距離が離れ、主方向の転向部２１，２１間の平面視で交差する位置で最も近づくことになる。
【００３９】
さらに、定着部３は、例えばＰＣ鋼材２を所定の位置で楔やネジなどによって固定する定着治具３ｂと、その定着治具３ｂと短辺端部１ａとの間に介在される支圧板３ａとによって構成される。
【００４０】
なお、図１では、対向する短辺端部１ａ，１ａのそれぞれに設けられた定着部３，・・・を床版部１の外側に露出させたが、これに限定されるものではなく、短辺端部１ａ，１ａに凹部を設けてその中に定着部３，・・・を設置したり、一方の短辺端部１ａの定着部３を床版部１の内部に埋設させたりすることができる。
【００４１】
次に、本実施の形態のＰＣ床版１０のプレストレスの導入方法及びその作用について説明する。
【００４２】
まず、図１に示すように４本のＰＣ鋼材２Ａ，２Ａ，２Ｂ，２Ｂを、床版部１を成形するための型枠の内部にアンボンド処理した状態で平面視略波型に配設し、型枠の内部にコンクリートを流し込む。
【００４３】
このコンクリートが硬化して所定の強度が発現した後に、一方の短辺端部１ａから突出するＰＣ鋼材２Ａ，２Ａ，２Ｂ，２Ｂの一端を定着部３に固定し、他端には緊張ジャッキ（図示せず）を配置してＰＣ鋼材２Ａ，２Ａ，２Ｂ，２Ｂを把持させて緊張をおこなう。
【００４４】
そして、所定のプレストレスが導入されるだけＰＣ鋼材２Ａ，２Ａ，２Ｂ，２Ｂを緊張した状態で他端も定着部３に固定する。
【００４５】
このようにしてＰＣ鋼材２Ａ，２Ａ，２Ｂ，２Ｂに緊張力を与えると、定着部３，・・・を介して床版部１の主方向（短辺端部１ａ，１ａ間方向）にプレストレスが導入される。
【００４６】
また、転向部２１においては、図１に示すように、床版部１の主方向に転向部２１を挟んで対称となる向きにＰＣ鋼材２Ａが引っ張られ、床版部１の副方向に床版部１を圧縮する力が作用する。
【００４７】
この床版部１の副方向に作用する圧縮力は、対になるＰＣ鋼材２Ａ，２Ａ（２Ｂ，２Ｂ）の対向する転向部２１，２１間で互いに向き合う正反対の方向に発生するので、対向する転向部２１，２１間で効果的に床版部１の副方向にプレストレスが導入される。
【００４８】
このように構成された本実施の形態のＰＣ床版１０は、コンクリート等のセメント系混合材料によって成形された床版部１に、複数の転向部２１，・・・が形成されたＰＣ鋼材２が挿通されている。
【００４９】
そして、ＰＣ鋼材２を緊張して床版部１の短辺端部１ａ，１ａに定着させると定着部３，３間では主方向の圧縮力が作用し、転向部２１，・・・において方向が変えられたプレストレスの分力によっては副方向の圧縮力が作用することになる。
【００５０】
このため、少ないＰＣ鋼材２の本数で、床版部１主方向及び副方向という２方向にプレストレスを導入して、床版部１の全体を補強したＰＣ床版１０とすることができる。
【００５１】
また、本実施の形態では、４本のＰＣ鋼材２Ａ，２Ａ，２Ｂ，２Ｂを２箇所の緊張作業で定着させるだけで２方向にプレストレスを導入することができるため、非常に施工性に優れている。
【００５２】
さらに、長辺端部１ｂ，１ｂ側に定着部を設けなくとも床版部１の副方向（長辺端部１ｂ，１ｂ間方向）にプレストレスを導入することができるうえに、定着部が突出しないので長辺端部１ｂに当接するように他のＰＣ床版１０などの構造物を設置することができる。
【００５３】
そして、プレストレスを複数の方向に導入するため、部材断面を削減して軽量化することが可能になる。このように軽量なＰＣ床版１０で橋梁の橋桁などの上部構造を構築すれば、地震荷重を大幅に低減できるので、下部構造の断面も小さくなって総建設費を大幅に削減することができる。
【実施例１】
【００５４】
以下、前記した実施の形態の実施例１について説明する。なお、前記実施の形態で説明した内容と同一乃至均等な部分の説明については同一符号を付して説明する。
【００５５】
前記実施の形態では、床版部１の内部にＰＣ鋼線２を挿通させたＰＣ床版１０について説明したが、この実施例１では図２に示すような骨組み構造体４を本体部とするプレストレスト構造物４０について説明する。
【００５６】
この骨組み構造体４は、略平行する２本の梁部４１，４１とその梁部４１，４１に略直交して梁部４１，４１間を連結させる連結部４２，・・・とから梯子状に形成されている。
【００５７】
そして、この梁部４１，４１と連結部４２，・・・とが交差する交差部４３，・・・に近接する連結部４２の端部に、梁部４１の長手方向に貫通する円弧状の孔４４が形成されている。
【００５８】
この連結部４２に設ける孔４４は、連結部４２をコンクリートで成形する際に予め湾曲した鞘管を配置しておくことで形成することができる。
【００５９】
また、既設の骨組み構造体４に後からプレストレスを導入して補強しようとする場合は、補強する際に連結部４２の側面から穿孔することによって孔４４を設けてもよい。
【００６０】
このような骨組み構造体４では、梁４１の軸方向を主方向とし、連結部４２の軸方向（梁４１，４１間方向）を副方向とする。
【００６１】
そして、連結部４２，・・・の側面間を縫うように孔４４に挿通させて平面視波型に２本のＰＣ鋼材２，２を配設する。このＰＣ鋼材２の転向部２１は、連結部４２に設けた孔４４の中に形成される。
【００６２】
また、骨組み構造体４の端部に配置される連結部４２Ａは、他の連結部４２よりも主方向に幅が広い部材とし、その連結部４２ＡにＰＣ鋼材２の定着部３を設ける。
【００６３】
この定着部３は、前記実施の形態と同様に支圧板３ａと定着治具３ｂとによって主に構成される。
【００６４】
このように梁部４１，４１とその間を連結させる連結部４２，・・・とから形成される骨組み構造体４においては、連結部４２の軸方向端部付近（交差部４３付近）にＰＣ鋼材２，２の転向部２１，２１を設けることで、副方向（連結部４２の軸方向）にプレストレスを導入することができる。
【００６５】
また、このように連結部４２に穿孔した孔４４に転向部２１を形成する構造であれば、既設の骨組み構造体４であっても連結部４２の側面から容易に孔４４が形成できるので、その孔４４にＰＣ鋼材２を挿通して緊張することによって容易に骨組み構造体４を補強したプレストレスト構造物４０とすることができる。
【００６６】
なお、他の構成及び作用効果については、前記実施の形態と略同様であるので説明を省略する。
【実施例２】
【００６７】
以下、前記した実施の形態の実施例２について説明する。なお、前記実施の形態及び実施例１で説明した内容と同一乃至均等な部分の説明については同一符号を付して説明する。
【００６８】
前記実施の形態では、床版部１の内部にＰＣ鋼線２を挿通させたＰＣ床版１０について説明したが、この実施例２では図３に示すようなリブ付床版５を本体部とするプレストレスト構造物としてのリブ付ＰＣ版５０について説明する。
【００６９】
ここで、図３（ａ）は、リブ付ＰＣ版５０を下面側から見た平面図で、図３（ｂ）は、（ａ）のＡ−Ａ線断面図である。
【００７０】
このリブ付床版５は、板状の床部５５と、その下面の縁部に長手方向（主方向）に延設される梁部５１，５１と、その梁部５１，５１間を主方向に間隔を置いて連結させる連結部５２，・・・とが一体になるようにコンクリートによって成形されている。
【００７１】
そして、この梁部５１，５１と連結部５２，・・・とが交差する交差部５３，・・・に近接する連結部５２の端部に、梁部５１の長手方向に貫通する円弧状の孔５４が形成されている。
【００７２】
この連結部５２に設ける孔５４は、連結部５２をコンクリートで成形する際に予め鞘管を配置しておくことで設けることができる。また、既設のリブ付床版５に後からプレストレスを導入して補強しようとする場合は、補強する際に穿孔によって孔５４を設けることができる。
【００７３】
そして、連結部５２，・・・の側面間を縫うように孔５４に挿通させて平面視波型に２本のＰＣ鋼材２，２を配設し、露出するＰＣ鋼材２，２は梁部５１，５１と連結部５２，・・・に囲まれた凹部に収容させる。
【００７４】
このように連結部５２の軸方向端部付近（交差部５３付近）に設けた孔５４，５４にＰＣ鋼材２，２の転向部２１，２１を設けることで、副方向（連結部５２の軸方向）にプレストレスを導入することができる。
【００７５】
また、連結部５２の軸方向に導入されたプレストレスは、連結部５２と一体に成形されている床部５５にも伝達されるので、リブ付床版５全体に２方向のプレストレスを導入することができる。
【００７６】
また、補強のために配設されるＰＣ鋼材２，２は、梁部５１と連結部５２によって形成された凹部に収容されるので、外観上で目立つことがなく美感を損なうことがない。
【００７７】
なお、他の構成及び作用効果については、前記実施の形態又は実施例１と略同様であるので説明を省略する。
【実施例３】
【００７８】
以下、前記した実施の形態の実施例３について説明する。なお、前記実施の形態及び他の実施例で説明した内容と同一乃至均等な部分の説明については同一符号を付して説明する。
【００７９】
前記実施の形態では、床版部１の内部にＰＣ鋼線２を挿通させたＰＣ床版１０について説明したが、この実施例３では図４に示すような既設床版６を本体部とするプレストレスト構造物６０について説明する。
【００８０】
この既設床版６は、コンクリートによって板状に成形された部材である。この既設床版６の表面に、図４（ｂ）に示すような転向治具７を、間隔を置いて複数取り付ける。
【００８１】
この転向治具７は、図４（ｂ）に示すように既設床版６の表面に当接させる矩形板状の底板部７１と、その底板部７１と略直交するように立設させる壁板部７２とから形成される。
【００８２】
この壁板部７２にはＰＣ鋼材２を挿通させる孔７３が形成され、底板部７１には固定アンカー７４，・・・を挿通させる孔（図示せず）が複数形成されている。
【００８３】
また、既設床版６の短辺端部に固定される定着用治具８は、ＰＣ鋼材２を定着させる定着部３を設置するため、ＰＣ鋼材２の方向を変えることを主目的に配置される転向治具７の壁板部７２よりも厚い壁板部８２を底板部８１に立設させる。
【００８４】
このような転向治具７及び定着用治具８は、鋼板を溶接したり、鋳物で成形したり、超高強度鋼繊維補強セメント系混合材料で成形したりして製作することができる。
【００８５】
そして、この転向治具７は、ＰＣ鋼材２の転向部２１を形成する位置に固定し、２本のＰＣ鋼材２，２を転向治具７の孔７３に挿通させることによって平面視波型に配設する。
【００８６】
このように既設床版６の下面側の表面に固定された転向治具７によってＰＣ鋼材２の向きを変えることで、既設床版６の長手方向（主方向）と直交する方向（副方向）にプレストレスを導入することができる。
【００８７】
また、定着部３が設置される定着用治具８を介して既設床版６の主方向にプレストレスを導入することができる。
【００８８】
このように既設床版６の表面に固定アンカー７４などで転向治具７及び定着用治具８を固定してＰＣ鋼材２を挿通させる構造であれば、既設のコンクリート構造物に後から複数方向のプレストレスを容易に導入することができる。
【００８９】
またこのように後から容易に取り付けが可能な転向治具７を利用してプレストレスを２方向に導入できるので、既存のコンクリート構造物の耐震強度を上げたり、経時劣化によって強度が低下したコンクリート構造物を補強したりすることが容易におこなえる。
【００９０】
さらにこのような補強工事は、既設床版６の副方向側の端部に定着部を設ける必要がないので、副方向側端部の作業スペースが制限されるような場合であっても適用することができる。
【００９１】
また、このような転向治具７やＰＣ鋼材２は、既設床版６の下面側に設置するようにすれば、上面側の使用形態が変更されることも、外観が損なわれることもない。
【００９２】
なお、他の構成及び作用効果については、前記実施の形態又は他の実施例と略同様であるので説明を省略する。
【００９３】
以上、図面を参照して、本発明の最良の実施の形態を詳述してきたが、具体的な構成は、この実施の形態に限らず、本発明の要旨を逸脱しない程度の設計的変更は、本発明に含まれる。
【００９４】
例えば、前記実施の形態では、一対のＰＣ鋼材２Ａ，２Ａ（２Ｂ，２Ｂ）の対向する転向部２１，２１を、短辺端部１ａ，１ａ間方向と略直交する方向（副方向）で対向する位置に形成したが、これに限定されるものではなく、対向する転向部２１，２１の方向と圧縮力が作用する方向がずれていても片押し状態で本体部にプレストレスを導入することができる。
【００９５】
また、前記実施の形態では２本のＰＣ鋼材２を一対にして配設したが、これに限定されるものではなく、対になるＰＣ鋼材２がない場合であっても片押し状態にはなるが複数方向のプレストレスは導入することができる。
【００９６】
さらに、前記実施の形態及び実施例では、主方向と副方向が決められるプレストレスト構造物について説明したが、これに限定されるものではなく、例えば平面視略正方形の四辺支持された本体部など両方向が主方向となる場合などであればいずれの方向の端部に定着部を設けてもよい。また、主方向と副方向がある場合であっても、副方向側の端部の方が定着部を設けやすい場合はそちら側に定着部を設けることもできる。
【００９７】
また、隅角部が直角にならないような本体部に対しても本発明を適用することができ、この場合はプレストレスが導入される複数の方向は直交するとは限らない。
【図面の簡単な説明】
【００９８】
【図１】本発明の最良の実施の形態のＰＣ床版の概略構成を示した平面図である。
【図２】実施例１のプレストレスト構造物の概略構成を示した斜視図である。
【図３】実施例２のリブ付ＰＣ版の概略構成を示した図であって、（ａ）は下面側から見た平面図、（ｂ）は（ａ）のＡ−Ａ線方向の断面図である。
【図４】（ａ）は実施例３のプレストレスト構造物の概略構成を示した下面側から見た平面図、（ｂ）は転向治具の概略構成を示した斜視図である。
【符号の説明】
【００９９】
１０            ＰＣ床版（プレストレスト構造物）
１              床版部（本体部）
１ａ            短辺端部（端部）
２，２Ａ，２Ｂ  ＰＣ鋼材（緊張材）
２１            転向部
３              定着部
４０            プレストレスト構造物
４              骨組み構造体（本体部）
４１            梁部
４２            連結部
４３            交差部
４４            孔
５０            リブ付ＰＣ版（プレストレスト構造物）
５              リブ付床版（本体部）
５１            梁部
５２            連結部
５３            交差部
５４            孔
６０            プレストレスト構造物
６              既設床版（本体部）
７              転向治具
７３            孔
【図１】
2007211496.tif 000003
【図２】
2007211496.tif 000004
【図３】
2007211496.tif 000005
【図４】
2007211496.tif 000006